(57)【要約】      （修正有）【課題】設置しても邪魔にならない飛沫感染防止フェンスを提供する。【解決手段】レジカウンター６００に取りつけられる飛沫感染防止フェンス５００であって、レジカウンター６００のカウンター６１０上に設けられたスキャナ装置６２０に取り付けられるベース部と、ベース部から上下方向に延出する支柱と、支柱の上端側に取り付けられるフェンス固定部と、フェンス固定部に固定されるフェンス部材４００と、を備えたことを特徴とする。【選択図】図５
0003230104.tif 000002
【実用新案登録請求の範囲】
【請求項１】
レジカウンターに取りつけられる飛沫感染防止フェンスであって、
前記レジカウンターのカウンター上に設けられたスキャナ装置に取り付けられるベース部と、
前記ベース部から上下方向に延出する支柱と、
前記支柱の上端側に取り付けられるフェンス固定部と、
前記フェンス固定部に固定されるフェンス部材と、を備えたことを特徴とする飛沫感染防止フェンス。
【請求項２】
前記支柱は、上下方向にスライド可能に構成されていることを特徴とする請求項１に記載の飛沫感染防止フェンス。
【請求項３】
前記フェンス部材は、ポリエチレンテレフタレートで構成されていることを特徴とする請求項１又は２に記載の飛沫感染防止フェンス。
【請求項４】
前記フェンス固定部には、複数の固定孔が設けられていることを特徴とする請求項１から３のいずれかに記載の飛沫感染防止フェンス。
【考案の詳細な説明】
【技術分野】
【０００１】
本考案は、スーパーマーケット等において、買い物客の会計のために使用されるレジカウンターに取り付けられる飛沫感染防止フェンスに関する。
【０００２】
近年、細菌やウイルス等による感染症拡大防止のため、スーパーやショッピングモール等では、レジ操作を行う従業員と買い物客が対面することなるレジカウンターに、飛沫感染防止フェンスを設置している。ただ、この飛沫感染防止フェンスは、簡易的なもので床面に設置しているため、床面から立ち上がる飛沫感染防止フェンスは、買い物客にとって邪魔になっていた。
【考案の概要】
【考案が解決しようとする課題】
【０００３】
そこで、本考案は、上記問題に鑑み、設置しても邪魔にならない飛沫感染防止フェンスを提供する。
【課題を解決するための手段】
【０００４】
上記課題を解決するために、本考案の飛沫感染防止フェンスは、レジカウンターに取りつけられる飛沫感染防止フェンスであって、前記レジカウンターのカウンター上に設けられたスキャナ装置に取り付けられるベース部と、前記ベース部から上下方向に延出する支柱と、前記支柱の上端側に取り付けられるフェンス固定部と、前記フェンス固定部に固定されるフェンス部材と、を備えたことを特徴とする。
【０００５】
上記特徴により、本願発明の飛沫感染防止フェンスは、レジカウンターのカウンター上に設置され、従来技術のように、買い物客側の床面に設置されないため、買い物客にとって飛沫感染防止フェンスは邪魔にならないのである。
【０００６】
さらに、本考案の飛沫感染防止フェンスは、前記支柱は、上下方向にスライド可能に構成されていることを特徴とする。
【０００７】
上記特徴により、フェンス部材を任意の高さで取り付けることができる。
【０００８】
さらに、本考案の飛沫感染防止フェンスは、前記フェンス部材は、ポリエチレンテレフタレートで構成されていることを特徴とする。
【０００９】
上記特徴により、フェンス部材の表面をアルコール等で消毒しても変色せず、耐久性に優れる。
【００１０】
さらに、本考案の飛沫感染防止フェンスは、前記フェンス固定部には、複数の固定孔が設けられていることを特徴とする。
【００１１】
上記特徴により、フェンス部材の固定時に利用する固定孔を変更すれば、フェンス部材を右寄りや左寄りなど、任意の位置に固定することができる。さらに、固定孔は複数設けられているので、フェンス部材を固定する以外にも、その他の任意の部材の取り付けに利用できる。
【考案の効果】
【００１２】
上記の本考案によれば、設置しても邪魔になることはない。
【図面の簡単な説明】
【００１３】
【図１】（ａ）は、本考案の飛沫感染防止フェンスのベース部及び支柱の全体斜視図、（ｂ）は、ベース部及び支柱の側面図、（ｃ）は、ベース部及び支柱の正面図である。
【図２】レジカウンターの全体斜視図である。
【図３】レジカウンターの側面図である。
【図４】本考案の飛沫感染防止フェンスのフェンス固定部によって、フェンス部材を支柱に取り付ける様子を示した斜視図である。
【図５】フェンス部材を取り付けて完成した飛沫感染防止フェンスの斜視図である。
【図６】本考案の飛沫感染防止フェンスの側面図である。
【符号の説明】
【００１４】
１００ ベース部
２００ 支柱
３００ フェンス固定部
４００ フェンス部材
５００ 飛沫感染防止フェンス
６００ レジカウンター
６１０ カウンター
【考案を実施するための形態】
【００１５】
以下に、本考案の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１６】
まず、図１に、本考案の飛沫感染防止フェンスのベース部１００及び支柱２００を示す。なお、図１（ａ）は、ベース部１００及び支柱２００の全体斜視図、図１（ｂ）は、ベース部１００及び支柱２００の側面図、図１（ｃ）は、ベース部１００及び支柱２００の正面図である。
【００１７】
図１に示すように、ベース部１００は、後述するレジカウンターのカウンター上に配置されるように構成されており、略コ字状の板部材となっている。具体的には、ベース部１００は、正面板１１０と両側の側板１２０とを備え、正面板１１０の下端１１１と側板１２０の下端１２１は面一となっているので、ベース部１００はカウンター上に安定して載置できる。
【００１８】
また、ベース部１００の上方には、上下方向に延出する棒状の支柱２００が設けられている。この支柱２００は２本で対をなしており、一対の支柱２００同士を連結する上側固定支柱２１０を備える。さらに、支柱２００は、中空状となっており、内部にスライド軸２２０を備える。スライド軸２２０は支柱２００内部を上下にスライド可能となっており、ツマミ２１１を締め付けることで、スライド軸２２０は任意の高さで固定される。さらに、両側のスライド軸２２０同士を連結する固定部２３０が、スライド軸２２０の上端に設けられている。固定部２３０は、後述するフェンス固定部を取り付ける部分となる。
【００１９】
では次に、図２及び図３を参照して、ベース部１００及び支柱２００を、レジカウンター６００のカウンター６１０上に取り付けて固定する方法について説明する。なお、図２は、レジカウンター６００の全体斜視図、図３は、レジカウンター６００の側面図である。
【００２０】
まず、ベース部１００及び支柱２００を取り付ける対象であるレジカウンター６００は、従来から利用されている既製品であり、平坦な略長方形状のカウンター６１０を備える。また、カウンター６１０から上方へ立ち上がるようにスキャナ装置６２０が設けられ、スキャナ装置６２０の上端には、レジ作業員が操作するディスプレイ６３０が設けられている。レジ作業員は、カウンター６１０の上に買い物かごを置き、買い物かご内の商品をスキャナ装置６２０で読み取り、会計作業を行う。
【００２１】
ベース部１００をスキャナ装置６２０に取り付ける際は、ベース部１００をカウンター６１０の上に置いて、スキャナ装置６２０の正面側にベース部１００を宛がう。そして、ベース部１００の側板１２０に、略Ｌ字形状の下部固定具１４０をネジ１４１で固定する。すると、ベース部１００の正面板１１０と、側板１２０と、下部固定具１４０の内側壁１４２とで、スキャナ装置６２０の基端側（カウンター６１０側）の四方を囲み、ベース部１００はカウンター６１０上のスキャナ装置６２０に外れないように取り付けられる。なお、ベース部１００は、スキャナ装置６２０の壁面に穴をあけて固定するねじ等の締結固定手段を利用せず、スキャナ装置６２０の基端側（カウンター６１０側）の四方を囲むように取り付けているので、スキャナ装置６２０を不用意に傷つけることがないのである。
【００２２】
次に、支柱２００を上部固定具２４０によってスキャナ装置６２０に固定する。上部固定具２４０は略コ字形状をしており、略コ字形状に凹んだ係止部２４１の一部を、支柱２００の上側固定支柱２１０に係止できるようになっている。そして、上部固定具２４０の係止部２４１を上側固定支柱２１０に係止させた後、ネジ２４２によって上部固定具２４０を上側固定支柱２１０に固定する。さらに、図３に示すように、上部固定具２４０の下方へ延出した延出部２４３をスキャナ装置６２０の上端６２１に係止させて、外れないようにビス２４４で固定している。
【００２３】
そして、レジカウンター６００のカウンター６１０上にベース部１００と支柱２００を固定したら、後述するフェンス部材４００の取り付け位置に合わせて、スライド軸２２０を上下にスライドさせる。そして、任意の高さで、ツマミ２１１を締め付けてスライド軸２２０を固定する。次に、図４から図６に示すように、フェンス固定部３００によってフェンス部材４００を取り付ける。なお、フェンス固定部３００によってフェンス部材４００を取り付けた後に、スライド軸２２０を上下にスライドさせて、任意の高さで、ツマミ２１１を締め付けて固定してもよい。また、図４は、フェンス固定部３００によってフェンス部材４００を支柱２００に取り付ける様子を示した斜視図、図５は、フェンス部材４００を取り付けて完成した飛沫感染防止フェンス５００の斜視図、図６は飛沫感染防止フェンス５００の側面図である。
【００２４】
図４に示すように、固定部２３０に長尺状の板状のフェンス固定部３００を宛てがい、ビス３０１を固定孔３１０に貫通させて固定部２３０のネジ孔２３１に螺号することで、フェンス固定部３００を固定部２３０に固定する。次に、フェンス部材４００の上端４１０をフェンス固定部３００に宛てがい、ネジ３０２を固定孔４１１と固定孔３１０に貫通させて、ネジ３０２の先端をフェンス固定部３００の裏側からナット３０３で締め付けることで、図５及び図６に示すように、フェンス部材４００をフェンス固定部３００に固定している。
【００２５】
以上により、ベース部１００、支柱２００、フェンス固定部３００、及びフェンス部材４００を備えた飛沫感染防止フェンス５００は、レジカウンター６００のカウンター６１０上に取り付けられる。そして、スキャナ装置６２０を用いて会計作業を行うレジ作業員の位置Ｘと、買い物客の位置Ｙとの間には、フェンス部材４００が介在して飛沫が拡散されるのを阻止できるので、レジ作業員及び買い物客が互いに飛沫感染することを防止できるのである。
【００２６】
このように、本願発明の飛沫感染防止フェンス５００は、レジカウンター６００のカウンター６１０上に設置され、従来技術のように、買い物客の位置Ｙ側の床面に設置されないため、買い物客にとって飛沫感染防止フェンス５００は邪魔にならないのである。
【００２７】
また、フェンス部材４００は、カウンター６１０の長尺方向に延出した薄板状の部材であり、正面板４２０と両側の側面板４３０を備えている。そのため、レジ作業員及び買い物客の正面側のみならず側面からの飛沫も防ぐことができるため、飛沫感染防止の効果が高い。さらに、フェンス部材４００は、透明又は半透明の部材なので、視認性が高い。また、フェンス部材４００は、任意の素材で構成できるが、特に、ポリエチレンテレフタレートで構成することで、フェンス部材４００の表面をアルコール等で消毒しても変色せず、耐久性に優れる。
【００２８】
なお、フェンス部材４００は長尺方向に延出した薄板状の部材であるが、これに限定されず、任意の形状であってもよい。そして、フェンス固定部３００には、複数の固定孔３１０が設けられているので、固定時に利用する固定孔３１０を変更すれば、フェンス部材４００を右寄りや左寄りなど、任意の位置に固定することができる。さらに、固定孔３１０は複数設けられているので、フェンス部材４００を固定する以外にも、その他の任意の部材の取り付けに利用できる。また、フェンス固定部３００やフェンス部材４００の固定は、ビス３０１やネジ３０２で行っているが、これに限定されず、その他の任意の固定部材を利用してもよい。
【００２９】
また、本考案の飛沫感染防止フェンスは、上記の実施例に限定されず、実用新案登録請求の範囲に記載された範囲、実施形態の範囲で、種々の変形例、組み合わせが可能であり、これらの変形例、組み合わせもその権利範囲に含むものである。
【図１】
0003230104.tif 000003
【図２】
0003230104.tif 000004
【図３】
0003230104.tif 000005
【図４】
0003230104.tif 000006
【図５】
0003230104.tif 000007
【図６】
0003230104.tif 000008